(57)【要約】      （修正有）【課題】長さ調節するポールの伸縮調節が簡略であり、耐久性にも優れた伸縮式突っ張りポール具を提供する。【解決手段】第２ポールの突出長さを調節する伸縮調節体６を有し、伸縮調節体６を、上部筒体１１と、下部筒体４１と、突起２４ａを具備する圧着環状体２４及びコイルスプリング２２を具備するポール圧着・解放部２１と、このポール圧着・解放部２１を回動操作により押し上げる操作レバー３１とにより構成し、操作レバー３１の回動操作により圧着環状体２４の一方の側の突起２４ａをコイルスプリング２２の弾力に抗して押し上げ圧着環状体２４を水平状態として、その一方の側及び他方の側の第２ポール外周側へのはみ出しを無くして第２ポール開放状態とし、回動操作解除により圧着環状体２４をコイルスプリング２２の弾力下で傾斜状態としその一方の側及び他方の側を第２ポール外周側へはみ出させる第２ポール圧着状態とするようにしたものである。【選択図】図２
0003152857.tif 000002
【実用新案登録請求の範囲】
【請求項１】
第１ポールと、
この第１ポール内にその一部を長さ方向に抜き差し可能に挿入しつつ突出させた第２ポールと、
前記第１ポールの一端とこの一端から外方に伸びる第２ポールの一部とにわたって配置される伸縮調節体であって、
中空筒状で、第２ポールを貫通させるとともに、一方の側にレバー装着部を突出させた上部筒体と、
中空筒状で、第１ポールの上端側を一体的に装着支持するとともに、一方の側にレバー装着部と接合させるレバー受部を突出させ、上面に傾斜部を設け、外周部を前記上部筒体の下部外周側に一体に結合させる下部筒体と、
前記下部筒体の傾斜部上に傾斜配置した一方の側に突起を具備する圧着環状体と、この圧着環状体に下部筒体側への弾力を付与するコイルスプリングと、を具備するポール圧着・解放部と、
前記レバー装着部、レバー受部間に前記圧着環状体の突起に押し上げ片を臨ませて係合され、回動操作により前記圧着環状体の一方の側の突起をコイルスプリングの弾力に抗して押し上げ圧着環状体を水平状態として、その一方の側及び他方の側の第２ポール外周側へのはみ出しを無くしてポール圧着・解放部を第２ポール開放状態とし、回動操作解除により圧着環状体をコイルスプリングの弾力下で傾斜状態としその一方の側及び他方の側を第２ポール外周側へはみ出させる第２ポール圧着状態とする操作レバーと、を具備する伸縮調節体と、
を有することを特徴とする伸縮式突っ張りポール具。
【請求項２】
円筒状又は丸棒状の第１ポールと、
この第１ポール内にその一部を長さ方向に抜き差し可能に挿入しつつ突出させた円筒状又は丸棒状の第２ポールと、
前記第１ポールの突出端に配置した第１当接体及び前記第２ポールの突出端に配置した被当接面に弾性圧接する第２当接体と、
前記第１ポールの一端とこの一端から外方に伸びる第２ポールの一部とにわたって配置される伸縮調節体であって、
中空筒状で、第２ポールを貫通させるとともに、一方の側にレバー装着部を突出させた上部筒体と、
中空筒状で、第１ポールの上端側を一体的に装着支持するとともに、一方の側にレバー装着部と接合させるレバー受部を突出させ、上面に傾斜部を設け、外周部を前記上部筒体の下部外周側に一体に結合させる下部筒体と、
前記下部筒体の傾斜部上に傾斜配置した一方の側に突起を具備する圧着環状体と、この圧着環状体に下部筒体側への弾力を付与するコイルスプリングと、を具備するポール圧着・解放部と、
前記レバー装着部、レバー受部間に前記圧着環状体の突起に押し上げ片を臨ませて係合され、回動操作により前記圧着環状体の一方の側の突起をコイルスプリングの弾力に抗して押し上げ圧着環状体を水平状態として、その一方の側及び他方の側の第２ポール外周側へのはみ出しを無くしてポール圧着・解放部を第２ポール開放状態とし、回動操作解除により圧着環状体をコイルスプリングの弾力下で傾斜状態としその一方の側及び他方の側を第２ポール外周側へはみ出させる第２ポール圧着状態とする操作レバーと、を具備する伸縮調節体と、
を有することを特徴とする伸縮式突っ張りポール具。
【請求項３】
円筒状又は丸棒状の第１ポールと、
この第１ポール内にその一部を長さ方向に抜き差し可能に挿入しつつ突出させた円筒状又は丸棒状の第２ポールと、
前記第１ポールの突出端に配置した第１当接体及び前記第２ポールの突出端に配置した被当接面に弾性圧接する第２当接体と、
前記第１ポールの一端とこの一端から外方に伸びる第２ポールの一部とにわたって配置される伸縮調節体であって、
中空筒状で、第２ポールを貫通させるとともに、一方の側にレバー装着部を突出させた上部筒体と、
中空筒状で、第１ポールの上端側を一体的に装着支持するとともに、一方の側にレバー装着部と接合させるレバー受部を突出させ、上面に傾斜部を設け、外周部を前記上部筒体の下部外周側に一体に結合させる下部筒体と、
前記下部筒体の傾斜部上に傾斜配置した一方の側に突起を具備する圧着環状体と、この圧着環状体に下部筒体側への弾力を付与するコイルスプリングと、を具備するポール圧着・解放部と、
前記レバー装着部、レバー受部間に前記圧着環状体の突起に押し上げ片を臨ませて係合され、回動操作により前記圧着環状体の一方の側の突起をコイルスプリングの弾力に抗して押し上げ圧着環状体を水平状態として、その一方の側及び他方の側の第２ポール外周側へのはみ出しを無くしてポール圧着・解放部を第２ポール開放状態とし、回動操作解除により圧着環状体をコイルスプリングの弾力下で傾斜状態としその一方の側及び他方の側を第２ポール外周側へはみ出させる第２ポール圧着状態とする操作レバーと、を具備する伸縮調節体と、
前記第１ポール又は第２ポールに嵌装した衣類等の掛け置き用の任意数のフックと、
を有することを特徴とする伸縮式突っ張りポール具。
【請求項４】
第１ポールと、
この第１ポール内にその一部を長さ方向に抜き差し可能に挿入しつつ突出させた第２ポールと、
前記第１ポールの一端とこの一端から外方に伸びる第２ポールの一部とにわたって配置される伸縮調節体であって、
中空筒状で、第２ポールを貫通させるとともに、一方の側にレバー装着部を突出させた上部筒体と、
中空筒状で、第１ポールの上端側を一体的に装着支持するとともに、一方の側にレバー装着部と接合させるレバー受部を突出させ、上面に傾斜部を設け、外周部を前記上部筒体の下部外周側に一体に結合させる下部筒体と、
前記下部筒体の傾斜部上に傾斜配置した一方の側に突起を具備する圧着環状体と、この圧着環状体に下部筒体側への弾力を付与するコイルスプリングと、を具備するポール圧着・解放部と、
前記レバー装着部、レバー受部間に、前記圧着環状体の突起に先端の押し上げ片を臨ませてスライド可能に配置され、後端側に押圧用ボタンを設け、押圧用ボタンの押圧操作により前記圧着環状体の一方の側の突起をコイルスプリングの弾力に抗して押し上げて圧着環状体を水平状態として、その一方の側及び他方の側の第２ポール外周側へのはみ出しを無くしてポール圧着・解放部を第２ポール開放状態とし、押圧解除により圧着環状体をコイルスプリングの弾力下で傾斜状態としその一方の側及び他方の側を第２ポール外周側へはみ出させる第２ポール圧着状態とする押しボタン式の操作レバーと、を具備する伸縮調節体と、
を有することを特徴とする伸縮式突っ張りポール具。
【請求項５】
円筒状又は丸棒状の第１ポールと、
この第１ポール内にその一部を長さ方向に抜き差し可能に挿入しつつ突出させた円筒状又は丸棒状の第２ポールと、
前記第１ポールの突出端に配置した第１当接体及び前記第２ポールの突出端に配置した被当接面に弾性圧接する第２当接体と、
前記第１ポールの一端とこの一端から外方に伸びる第２ポールの一部とにわたって配置される伸縮調節体であって、
中空筒状で、第２ポールを貫通させるとともに、一方の側にレバー装着部を突出させた上部筒体と、
中空筒状で、第１ポールの上端側を一体的に装着支持するとともに、一方の側にレバー装着部と接合させるレバー受部を突出させ、上面に傾斜部を設け、外周部を前記上部筒体の下部外周側に一体に結合させる下部筒体と、
前記下部筒体の傾斜部上に傾斜配置した一方の側に突起を具備する圧着環状体と、この圧着環状体に下部筒体側への弾力を付与するコイルスプリングと、を具備するポール圧着・解放部と、
前記レバー装着部、レバー受部間に、前記圧着環状体の突起に先端の押し上げ片を臨ませてスライド可能に配置され、後端側に押圧用ボタンを設け、押圧用ボタンの押圧操作により前記圧着環状体の一方の側の突起をコイルスプリングの弾力に抗して押し上げて圧着環状体を水平状態として、その一方の側及び他方の側の第２ポール外周側へのはみ出しを無くしてポール圧着・解放部を第２ポール開放状態とし、押圧解除により圧着環状体をコイルスプリングの弾力下で傾斜状態としその一方の側及び他方の側を第２ポール外周側へはみ出させる第２ポール圧着状態とする押しボタン式の操作レバーと、を具備する伸縮調節体と、
を有することを特徴とする伸縮式突っ張りポール具。
【請求項６】
円筒状又は丸棒状の第１ポールと、
この第１ポール内にその一部を長さ方向に抜き差し可能に挿入しつつ突出させた円筒状又は丸棒状の第２ポールと、
前記第１ポールの突出端に配置した第１当接体及び前記第２ポールの突出端に配置した被当接面に弾性圧接する第２当接体と、
前記第１ポールの一端とこの一端から外方に伸びる第２ポールの一部とにわたって配置される伸縮調節体であって、
中空筒状で、第２ポールを貫通させるとともに、一方の側にレバー装着部を突出させた上部筒体と、
中空筒状で、第１ポールの上端側を一体的に装着支持するとともに、一方の側にレバー装着部と接合させるレバー受部を突出させ、上面に傾斜部を設け、外周部を前記上部筒体の下部外周側に一体に結合させる下部筒体と、
前記下部筒体の傾斜部上に傾斜配置した一方の側に突起を具備する圧着環状体と、この圧着環状体に下部筒体側への弾力を付与するコイルスプリングと、を具備するポール圧着・解放部と、
前記レバー装着部、レバー受部間に、前記圧着環状体の突起に先端の押し上げ片を臨ませてスライド可能に配置され、後端側に押圧用ボタンを設け、押圧用ボタンの押圧操作により前記圧着環状体の一方の側の突起をコイルスプリングの弾力に抗して押し上げて圧着環状体を水平状態として、その一方の側及び他方の側の第２ポール外周側へのはみ出しを無くしてポール圧着・解放部を第２ポール開放状態とし、押圧解除により圧着環状体をコイルスプリングの弾力下で傾斜状態としその一方の側及び他方の側を第２ポール外周側へはみ出させる第２ポール圧着状態とする押しボタン式の操作レバーと、を具備する伸縮調節体と、
前記第１ポール又は第２ポールに嵌装した衣類等の掛け置き用の任意数のフックと、
を有することを特徴とする伸縮式突っ張りポール具。
【考案の詳細な説明】
【技術分野】
【０００１】
本考案は、長さ調節するポールの伸縮調節が簡略で、耐久性にも優れた伸縮式突っ張りポール具に関するものである。
【背景技術】
【０００２】
室内等の手狭な空間における床、天井間に設置し、衣類等を掛け置く用途に使用するポール式ハンガーの主要部を構成する伸縮式ポール具は、例えば、床面から起立させる大口径の下部ポールの上端部に伸縮調節体を連結固定し、下部ポールより小径の上部ポールを伸縮調節体を貫通させつつ下部ポールの上端側から内方に抜き差し自在に挿通し、伸縮調節体により上部ポールの固定又は固定解除を行なうことで、上部ポールを下部ポールに対して固定連結し又は下部ポールに対し伸縮可能とするものである。
【０００３】
このような伸縮式ポール具としては、従来伸縮調節体をターンバックル構造とし、回動操作により上部ポールの固定又は固定解除を行なうものが知られているが、かかるターンバックル構造の伸縮調節体の場合、ネジ締め構造であるため固定操作又は固定解除操作が煩雑であるとともに、多数回の使用に伴ってターンバックル構造の機能が損なわれ実用に支障が生じるという耐久性に関する問題を包含している。
特許文献１には、外筒内に内筒が抜き差し自在に嵌め込まれ、この部位において外筒の端部にはストッパー管が固定され、このストッパー管にはストッパーネジが螺合され、内筒を所定位置で係止できるように構成したストッパー機構を備えるネジ止め式の伸縮式ポール具が提案されている。
【０００４】
この伸縮式ポール具の場合も、ストッパーネジの締め付け、締め付け解除操作が煩雑であるとともに、多数回の使用に伴ってネジ構造の機能が損なわれ実用に支障が生じるという耐久性に関する問題を包含している。
【先行技術文献】
【特許文献】
【０００５】
【特許文献１】特開２００７−１６７４５４号公報
【考案の概要】
【考案が解決しようとする課題】
【０００６】
本考案が解決しようとする問題点は、長さ調節するポールの伸縮調節が簡略であり、耐久性にも優れた伸縮式突っ張りポール具が存在しない点である。
【課題を解決するための手段】
【０００７】
本考案に係る伸縮式突っ張りポール具は、第１ポールと、この第１ポール内にその一部を長さ方向に抜き差し可能に挿入しつつ突出させた第２ポールと、前記第１ポールの一端とこの一端から外方に伸びる第２ポールの一部とにわたって配置される伸縮調節体であって、中空筒状で、第２ポールを貫通させるとともに、一方の側にレバー装着部を突出させた上部筒体と、中空筒状で、第１ポールの上端側を一体的に装着支持するとともに、一方の側にレバー装着部と接合させるレバー受部を突出させ、上面に傾斜部を設け、外周部を前記上部筒体の下部外周側に一体に結合させる下部筒体と、前記下部筒体の傾斜部上に傾斜配置した一方の側に突起を具備する圧着環状体と、この圧着環状体に下部筒体側への弾力を付与するコイルスプリングと、を具備するポール圧着・解放部と、前記レバー装着部、レバー受部間に前記圧着環状体の突起に押し上げ片を臨ませて係合され、回動操作により前記圧着環状体の一方の側の突起をコイルスプリングの弾力に抗して押し上げ圧着環状体を水平状態として、その一方の側及び他方の側の第２ポール外周側へのはみ出しを無くしてポール圧着・解放部を第２ポール開放状態とし、回動操作解除により圧着環状体をコイルスプリングの弾力下で傾斜状態としその一方の側及び他方の側を第２ポール外周側へはみ出させる第２ポール圧着状態とする操作レバーと、を具備する伸縮調節体と、を有することを最も主要な特徴とする。
【考案の効果】
【０００８】
請求項１記載の考案によれば、回動式の操作レバーのワンタッチ動作で第２ポールを第１ポールに対して伸縮自在の状態とし所望の長さに調節することができ、また、操作片に対する操作力を解除するだけで自動的に前記第２ポールを第１ポールに対して固定状態とすることもでき、長さ調節する第２ポールの伸縮調節が極めて簡略であり、かつ、ネジ締め構造のものに比較し耐久性にも優れた伸縮式突っ張りポール具を実現し提供することができる。
【０００９】
請求項２記載の考案によれば、請求項１記載の考案の効果を奏することに加え、第２ポールの突出端に被当接面に弾性圧接する第２当接体を配置していることから、第２ポール側を被当接面に的確に圧接することができる伸縮式突っ張りポール具を実現し提供することができる。
【００１０】
請求項３記載の考案によれば、請求項２記載の考案の効果を奏することに加え、第１ポール又は第２ポールに衣類等の掛け置き用の任意数のフックを嵌装していることから、衣類等を掛け置く伸縮式突っ張りポールハンガーとして機能させることができる伸縮式突っ張りポール具を実現し提供することができる。
【００１１】
請求項４記載の考案によれば、押しボタン式の操作レバーのワンタッチ押圧動作で第２ポールを第１ポールに対して伸縮自在の状態とし所望の長さに調節することができ、また、操作片に対する押圧力を解除するだけで自動的に前記第２ポールを第１ポールに対して固定状態とすることもでき、長さ調節する第２ポールの伸縮調節が極めて簡略であり、かつ、ネジ締め構造のものに比較し耐久性にも優れた伸縮式突っ張りポール具を実現し提供することができる。
【００１２】
請求項５記載の考案によれば、請求項４記載の考案の効果を奏することに加え、第２ポールの突出端に被当接面に弾性圧接する第２当接体を配置していることから、第２ポール側を被当接面に的確に圧接することができる伸縮式突っ張りポール具を実現し提供することができる。
【００１３】
請求項６記載の考案によれば、請求項２記載の考案の効果を奏することに加え、第１ポール又は第２ポールに衣類等の掛け置き用の任意数のフックを嵌装していることから、衣類等を掛け置く伸縮式突っ張りポールハンガーとして機能させることができる伸縮式突っ張りポール具を実現し提供することができる。
【図面の簡単な説明】
【００１４】
【図１】図１は本考案の実施例１に係る伸縮式突っ張りポール具の概略正面図である。
【図２】図２は本実施例１に係る伸縮式突っ張りポール具における伸縮調節体の分解斜視図である。
【図３】図３は本実施例１に係る伸縮式突っ張りポール具における伸縮調節体による第２ポール圧着状態を示す概略断面図である。
【図４】図４は本実施例１に係る伸縮式突っ張りポール具における伸縮調節体による第２ポール圧着解放状態を示す概略断面図である。
【図５】図５は本実施例１に係る伸縮式突っ張りポール具における第２当接体の概略断面図である。
【図６】図６は本考案の実施例２に係る伸縮式突っ張りポール具における伸縮調節体の正面図である。
【図７】図７は本実施例２に係る伸縮式突っ張りポール具における伸縮調節体の分解斜視図である。
【図８】図８は本実施例２に係る伸縮式突っ張りポール具における伸縮調節体による第２ポール圧着状態を示す概略断面図である。
【図９】図９は本実施例２に係る伸縮式突っ張りポール具における伸縮調節体による第２ポール圧着解放状態を示す概略断面図である。
【図１０】図１０は本考案の実施例３に係る伸縮式突っ張りポール具の概略正面図である。
【考案を実施するための形態】
【００１５】
本考案は、長さ調節するポールの伸縮調節が簡略であり、耐久性にも優れた伸縮式突っ張りポール具を実現し提供するという目的を、円筒状又は丸棒状の第１ポールと、この第１ポール内にその一部を長さ方向に抜き差し可能に挿入しつつ突出させた円筒状又は丸棒状の第２ポールと、前記第１ポールの突出端に配置した第１当接体及び前記第２ポールの突出端に配置した被当接面に弾性圧接する第２当接体と、前記第１ポールの一端とこの一端から外方に伸びる第２ポールの一部とにわたって配置される伸縮調節体であって、中空筒状で、第２ポールを貫通させるとともに、一方の側にレバー装着部を突出させた上部筒体と、中空筒状で、第１ポールの上端側を一体的に装着支持するとともに、一方の側にレバー装着部と接合させるレバー受部を突出させ、上面に傾斜部を設け、外周部を前記上部筒体の下部外周側に一体に結合させる下部筒体と、前記下部筒体の傾斜部上に傾斜配置した一方の側に突起を具備する圧着環状体と、この圧着環状体に下部筒体側への弾力を付与するコイルスプリングと、を具備するポール圧着・解放部と、前記レバー装着部、レバー受部間に前記圧着環状体の突起に押し上げ片を臨ませて係合され、回動操作により前記圧着環状体の一方の側の突起をコイルスプリングの弾力に抗して押し上げ圧着環状体を水平状態として、その一方の側及び他方の側の第２ポール外周側へのはみ出しを無くしてポール圧着・解放部を第２ポール開放状態とし、回動操作解除により圧着環状体をコイルスプリングの弾力下で傾斜状態としその一方の側及び他方の側を第２ポール外周側へはみ出させる第２ポール圧着状態とする操作レバーと、を具備する伸縮調節体と、を有する構成により実現した。
【実施例１】
【００１６】
以下に本考案の実施例１に係る伸縮式突っ張りポール具１について説明する。
【００１７】
本実施例１の伸縮式突っ張りポール具１は、図１に示すように、例えば床面６１上に垂直に起立させる例えば合成樹脂製又は金属製で円筒状又は丸棒状の第１ポール２と、この第１ポール２内にその一部を長さ方向に抜き差し可能に挿入しつつ突出させた前記第１ポール２の内径より僅かに小さい外径を有する例えば合成樹脂製又は金属製で円筒状に形成され、被当接面となる天井６２側に配置する円筒状又は丸棒状の第２ポール４と、前記第１ポール２の一端とこの一端から外方に伸びる第２ポール４の一部とにわたって配置したこの第２ポール４を伸縮調節する伸縮調節体６と、前記第１ポール２の下端が着脱可能に装着され、底部を床面６１に当接させる第１当接体３と、前記第２ポール４の上端が着脱可能に装着され、上端面を天井６２に当接させる第２当接体５と、を有している。
【００１８】
前記伸縮調節体６は、図２に示すように、中空筒状で、第２ポール４を貫通させる上部筒体１１と、前記上部筒体１１の内部で、かつ、後述する下部筒体４１上に設置するポール圧着・解放部２１と、上部筒体１１の側部に取り付けられ、前記ポール圧着・解放部２１を押し上げ作動させる操作レバー３１と、中空筒状で、上部筒体１１の下部側に一体に結合させるとともに第１ポール２の上端側を一体的に装着支持する下部筒体４１と、を具備している。
【００１９】
前記上部筒体１１は、第２ポール４が貫通可能であるとともに、この上部筒体１１の一方の側から側方に向けて一体に突設した概略先細角筒状で、かつ、下方及び突出端を開口させたレバー装着部１２を具備し、その突出端の開口部分の内側に下方に延在した突出片１３を設けている。
【００２０】
この突出片１３は、後述するように操作レバー３１の上端に形成した案内溝３３に嵌入するようになっている。
【００２１】
また、前記上部筒体１１は、その他方の側（レバー装着部１２とは１８０度反対側）下部に後述するロックネジ５３を挿通させる孔１４ａを設けた横向台形状の突部１４を側方に突設している。
【００２２】
前記ポール圧着・解放部２１は、図２に示すように、所定の弾力を有する円形を呈するコイルスプリング２２と、略円筒状で第２ポール４が貫通可能な内部筒体２３と、前記第２ポール４が貫通可能な金属製で円環状に形成した圧着環状体２４とを具備し、この圧着環状体２４を下部筒体４１上に設置し、圧着環状体２４上に内部筒体２３を設置し、コイルスプリング２２の下端側を内部筒体２３の外周に設けた円形の受段部２３ａに当接させ、更にコイルスプリング２２の上端側を図３に示すように前記上部筒体１１の内底部１１ａに当接させ、これにより、内部筒体２３、圧着環状体２４に対して下部筒体４１側に向けた弾力を付与するように構成している。
【００２３】
前記内部筒体２３は、外周に円形の受段部２３ａを備えるとともに、その一方の側に一定間隔をもった一対の突条２３ｂを具備している。
【００２４】
また、前記内部筒体２３の下面は、前記一対の突条２３ｂ側が大寸法、他方の側が小寸法となる傾斜面を呈するように形成している。
【００２５】
前記圧着環状体２４は、その外周の一方の側に、外側に至るほど上方に立ち上がる略四角形状の突起２４ａを具備し、前記内部筒体２３を載せたとき前記突起２４ａを内部筒体２３の一対の突条２３ｂの間に嵌入させるように構成している。
【００２６】
前記下部筒体４１は、前記上部筒体１１に対し一体に結合されるものであり、前記第２ポール４が貫通可能であるとともに、図３に示すように、その内周部に前記第１ポール２の上端部を一体に嵌め込み固定するように構成している。
【００２７】
前記下部筒体４１の一方の側の外周部には、前記レバー装着部１２に対応する形状でこのレバー装着部１２と接合されるレバー受部４２を一体に突出させ、その突出端に一定幅を有する案内口４３を設けている。
【００２８】
前記下部筒体４１の外周の一方の側には、操作レバー３１を固定するための貫通穴４４が形成された角柱状の突片４５をその長さ方向に沿って突設している。更に、前記下部筒体４１の外周の他方の側には、前記上部筒体１１の突部１４が接合する受部４６を設けている。そして、下部筒体４１における受部４６の上部位置には、前記ロックネジ５３用のネジ孔４７を設けている。
【００２９】
前記下部筒体４１の上端は、前記レバー受部４２側が低く、受部４６側が高い傾斜部４８としている。そして、この傾斜部４８上に、前記圧着環状体２４、内部筒体２３及びコイルスプリング２２の順に載置するように構成している。
【００３０】
前記操作レバー３１は、前記上部筒体１１におけるレバー装着部１２、下部筒体４１に形成されたレバー受部４２間に係合される。
【００３１】
前記操作レバー３１の上部には、前記圧着環状体２４の突起２４ａの下部に係合し、圧着環状体２４の一方の側を上方向に押し上げるための先端を尖らせた押し上げ片３２と、前記突出片１３が上方から嵌入される案内溝３３を設けている。
【００３２】
また、案内溝３３の下側にはレバー受部４２の突出端に形成された案内口４３に案内されつつ変位する薄肉部３４を設けて、この薄肉部３４から下方に操作片３５を垂下している。
前記操作片３５の内側は、水平断面が概略コ状凹陥部を呈する形状で、水平方向に膨出させた把持部５２を有する固定ピン５１を貫通させるための一対の抜穴３６を穿設している。
【００３３】
また、前記操作レバー３１における操作片３５は、下部筒体４１に設けた突片４５に対し嵌装又は離脱可能に構成している。
【００３４】
すなわち、前記操作レバー３１を突片４５に嵌装し、一対の抜穴３６と突片４５の貫通穴４４との位置を合致させた後固定ピン５１を挿通することで、操作レバー３１を下部筒体４１に固定する構成としている。
【００３５】
前記第２当接体５は、図５に示すように、上端側が円盤状で、かつ、下方に向けて後述する筒状の受筒体７２を突設させた当接基体７１と、前記当接基体７１の開口部内に嵌装させるとともに上端側を閉塞させ、前記第２ポールの上端が着脱可能に装着される受筒体７２と、前記当接基体７１の内部に設けた受片７３と、受筒体７２の上端面との間に配置する付勢バネ７４と、前記当接基体７１の上端面側に着脱可能に配置した薄い円盤状で例えばゴム製等からなる当接補助体７５とを具備している。
【００３６】
そして、受筒体７２に第２ポールの上端を装着し、当接基体７１の上端面側を天井６２に当接させるとき、前記付勢バネ７４により前記当接基体７１を弾性をもって天井６２側に圧接するように構成している。また、このとき、当接補助体７５の柔軟性により天井面の損傷を防止するようにしている。
【００３７】
次に、本実施例１に係る伸縮式突っ張りポール具１の作動状態について説明する。
【００３８】
本実施例１に係る伸縮式突っ張りポール具１は、図１に示すように、例えば床面６１上に第１当接体３を介して第１ポール２を垂直に起立させ、伸縮調節体６を介して伸縮可能に連結する第２ポール４の上端に配置した第２当接体５を天井６２側に圧接して、床面６１、天井６２間に突っ張り状態で垂直に固定配置するものである。このときの伸縮調節体６の作動状態は以下の通りである。
【００３９】
前記ロックネジ５３の先端が、上部筒体１１の孔１４ａ、下部筒体４１のネジ孔４７を経て第２ポール４の外周に当接して第２ポール４をロックする状態となっている。
【００４０】
また、図３に示すように、前記ポール圧着・解放部２１における圧着環状体２４は、下部筒体４１の傾斜部４８上に一方の側が低位置、他方の側が高位置の傾斜状態で配置されていて、これにより、前記圧着環状体２４の内周部における一方の側（前記押し上げ片３２側）及び他方の側が、前記第１ポール２内に嵌め込んだ第２ポール４の一方の側及び他方の側の外周側に各々僅かにはみ出す状態となる。
【００４１】
更に、前記圧着環状体２４は、前記コイルスプリング２２により、内部筒体２３を介して図３において下方に押圧されている。
【００４２】
この結果、前記圧着環状体２４の内周部における一方の側及び他方の側が、各々前記第２ポール４の一方の側及び他方の側の外周を圧接する状態となり、第２ポール４は伸縮調節体６を介して第１ポール２に対して固定された状態となっている。
【００４３】
次に、本実施例１に係る伸縮式突っ張りポール具１の伸縮作動状態について以下に説明する。
【００４４】
前記伸縮式突っ張りポール具１における前記第２ポール４の第１ポール２に対する突出長さを調節する際には、まず、前記ロックネジ５３を回して取り外した後、前記操作レバー３１の操作片３５を内側（図３の矢印ａ方向）に操作する。
【００４５】
これにより、前記操作レバー３１の押し上げ片３２は前記突出片１３の部分を支軸として上方に変位し、圧着環状体２４の突起２４ａを上方に押し上げる。
【００４６】
この結果、圧着環状体２４及び前記内部筒体２３の一方の側が、図４に示すように、前記コイルスプリング２２の弾力に抗して上方に押し上げられ、圧着環状体２４は水平状態（又は略水平状態）となり、前記圧着環状体２４の内周部における一方の側及び他方の側が、前記第１ポール２内に嵌め込んだ第２ポール４の一方の側及び他方の側の外周側にはみ出る状態が解消され、第２ポール４の上・下移動が自由に、すなわち、第２ポール４は下部ポールに対して伸縮自在となり、前記第２ポール４の第１ポール２に対する突出長さを所望の長さに調節することができる。
【００４７】
また、第２ポール４を適当な長さに調節した後、操作レバー３１を構成する操作片３５への操作力を解除すると、前記コイルスプリング２２の弾力によって圧着環状体２４が下方に自動的に降下し、図３に示す状態に復帰し、かつ、操作レバー３１も前記コイルスプリング２２の弾力の作用下で図３に示す位置に復帰する。
【００４８】
なお、伸縮式突っ張りポール具１の包装や、運送を行なう際には、操作片３５を図４に示す位置に変位させ、前記固定ピン５１を利用して突片４５に対して操作レバー３１を固定し、前記第２ポール４を第１ポール２に対して伸縮自在の状態に維持する。
これは圧着環状体２４によって第２ポール４の外周を圧着した状態のままでは、外部からの衝撃によって第２ポール４に変形が発生し、製品に瑕疵が発生する虞れがあることから、前記第２ポール４を第１ポール２に対して伸縮自在の状態として瑕疵の発生を未然に防止するためである。
【００４９】
本実施例１に係る伸縮式突っ張りポール具１によれば、前記操作レバー３１の操作片３５を矢印ａ方向に操作するだけのワンタッチ動作で、前記第２ポール４を第１ポール２に対して伸縮自在の状態として、前記第２ポール４の突出長さを所望の長さに調節することができ、また、前記操作レバー３１の操作片３５に対する操作力を解除するだけで自動的に前記第２ポール４を第１ポール２に対して固定状態とすることもできる。
【００５０】
したがって、第２ポール４の長さ調節及び第２ポール４の固定が極めて簡略であり、操作性が良好で、しかも従来のターンバックル式やネジ式の伸縮調節体を用いたものに比べ前記操作レバー３１による圧着環状体２４の押し上げ又は押し上げ解除の構造としていることから耐久性にも優れた伸縮式突っ張りポール具１を実現し提供することができる。
【００５１】
また、前記第２ポール４の上端を装着する第２当接体５を、付勢バネ７４を内蔵した圧接構造とし、かつ、天井６２に柔軟に当接する当接補助体７５を具備する構造としているので、前記第２ポール４側を天井６２に的確に、かつ、天井面の損傷を防止しつつ取り付けることができる伸縮式突っ張りポール具１を実現し提供することができる。
【実施例２】
【００５２】
次に本考案の実施例２に係る伸縮式突っ張りポール具１Ａについて図６乃至図９を参照して説明する。
【００５３】
なお、本実施例２の伸縮式突っ張りポール具１Ａにおいて、上述した実施例１の伸縮式突っ張りポール具１と同一の要素には同一の符号を付し、その詳細説明は省略する。
【００５４】
本実施例２の伸縮式突っ張りポール具１Ａは、図６、図７に示すように、基本的構成は実施例１の伸縮式突っ張りポール具１の場合と略同様であるが、上述した回動操作式の操作レバー３１に替えて、押ボタン式の操作レバー８１を採用したこと、上部筒体１１のレバー装着部１２、下部筒体４１のレバー受部４２の形状を変更して、前記押ボタン式の操作レバー８１を図８に示す矢印ｂ，ｃ方向にスライド可能に保持するレバー装着部１２Ａ、レバー受部４２Ａとしたことが特徴であり、この他の構成は実施例１の伸縮式突っ張りポール具１の場合と略同様である。
【００５５】
すなわち、本実施例２における操作レバー８１は、前記上部筒体１１におけるレバー装着部１２Ａ、下部筒体４１に形成されたレバー受部４２Ａ間に、矢印ｂ，ｃ方向にスライド可能に係合される。
【００５６】
前記操作レバー８１は、その先端側に前記圧着環状体２４の突起２４ａの下部に係合し、圧着環状体２４の一方の側を上方向に押し上げるための先端を尖らせた押し上げ片８２を具備し、押し上げ片８２の隣りに前記レバー装着部１２Ａ、レバー受部４２Ａ内で矢印ｂ，ｃ方向にスライドするスライド体８３を具備し、更に、スライド体８３から後端側に押圧用ボタン８４を設けて、この押圧用ボタン８４を前記レバー装着部１２Ａ、レバー受部４２Ａの突出端から側方に突出させることにより構成している。
【００５７】
このような押ボタン式の操作レバー８１を採用した本実施例２の伸縮式突っ張りポール具１Ａの作動状態について、図８、図９をも参照して説明する。
【００５８】
本実施例２に係る前記操作レバー８１を採用した伸縮式突っ張りポール具１Ａを前記床面６１、天井６２間に突っ張り状態で垂直に固定配置した際には、図１に示す場合と同様、前記ロックネジ５３の先端が、上部筒体１１の孔１４ａ、下部筒体４１のネジ孔４７を経て第２ポール４の外周に当接して第２ポール４をロックする状態となっている。
【００５９】
このときの伸縮調節体６、前記操作レバー８１の作動状態は以下の通りである。すなわち、図８に示すように、前記ポール圧着・解放部２１における圧着環状体２４は、下部筒体４１の傾斜部４８上に一方の側が低位置、他方の側が高位置の傾斜状態で配置されており、これにより、前記圧着環状体２４の内周部における一方の側（前記押し上げ片３２側）及び他方の側が、前記第１ポール２内に嵌め込んだ第２ポール４の一方の側及び他方の側の外周側に各々僅かにはみ出す状態となる。
【００６０】
更に、前記圧着環状体２４は、前記コイルスプリング２２により、内部筒体２３を介して図８において下方に押圧されている。
【００６１】
この結果、前記圧着環状体２４の内周部における一方の側及び他方の側が、各々前記第２ポール４の一方の側及び他方の側の外周を圧接する状態となり、第２ポール４は伸縮調節体６を介して第１ポール２に対して固定された状態となっている。
【００６２】
また、前記操作レバー８１の押し上げ片８２の先端は、前記圧着環状体２４の突起２４ａの下側に係合し、前記押圧用ボタン８４は、前記レバー装着部１２Ａ、レバー受部４２Ａの突出端から側方に突出する状態となっている。
【００６３】
次に、前記伸縮式突っ張りポール具１Ａにおける前記第２ポール４の第１ポール２に対する突出長さを調節する際には、まず、前記ロックネジ５３を回して取り外した後、前記押圧用ボタン８４を前記コイルスプリング２２の弾力に抗しつつ矢印ｂ方向に押し込む。
【００６４】
これにより、前記操作レバー８１の押し上げ片８２は前記圧着環状体２４の突起２４ａを上方に押し上げ、前記圧着環状体２４及び前記内部筒体２３の一方の側が、図９に示すように、前記コイルスプリング２２の弾力に抗して上方に押し上げられ、圧着環状体２４は水平状態（又は略水平状態）となり、前記圧着環状体２４の内周部における一方の側及び他方の側が、前記第１ポール２内に嵌め込んだ第２ポール４の一方の側及び他方の側の外周側にはみ出る状態が解消され、第２ポール４の上・下移動が自由に、すなわち、第２ポール４は下部ポールに対して伸縮自在となり、前記第２ポール４の第１ポール２に対する突出長さを所望の長さに調節することができる。
【００６５】
また、第２ポール４を適当な長さに調節した後、前記押圧用ボタン８４に対する押圧力を解除すると、前記コイルスプリング２２の弾力によって圧着環状体２４が下方に自動的に降下し、図８に示す状態に復帰し、かつ、操作レバー８１も前記コイルスプリング２２の弾力の作用下で矢印ｃ方向に変位し図８に示す位置に復帰する。
【００６６】
本実施例２に係る伸縮式突っ張りポール具１Ａによれば、前記押しボタン式の操作レバー８１の押圧用ボタン８４を矢印ｂ方向に操作するだけのワンタッチ動作で、前記第２ポール４を第１ポール２に対して伸縮自在の状態として、前記第２ポール４の突出長さを所望の長さに調節することができ、また、前記押圧用ボタン８４に対する操作力を解除するだけで自動的に前記第２ポール４を第１ポール２に対して固定状態とすることもできる。
【００６７】
したがって、第２ポール４の長さ調節及び第２ポール４の固定が極めて簡略であり、操作性が良好で、しかも従来のターンバックル式やネジ式の伸縮調節体を用いたものに比べ前記操作レバー８１による圧着環状体２４の押し上げ又は押し上げ解除の構造としていることから耐久性にも優れた伸縮式突っ張りポール具１Ａを実現し提供することができる。
【００６８】
また、実施例１の場合と同様にして、前記第２ポール４側を第２当接体５を介して天井６２に的確に、かつ、天井面の損傷を防止しつつ取り付けることができる伸縮式突っ張りポール具１を実現し提供することができる。
【実施例３】
【００６９】
次に、図１０を参照して本考案の実施例３に係る伸縮式突っ張りポール具１Ｂについて説明する。
【００７０】
本実施例３に係る伸縮式突っ張りポール具１Ｂは、実施例１の伸縮式突っ張りポール具１を用い、更に、前記第２ポール４（又は第１ポール２）の所望の位置に、シャツ等の衣類、タオル、帽子等を掛け置くための任意数（図１０に示す例では２個）のフック９１を嵌装した構成としたことが特徴である。この他の構成は実施例１の場合と同様である。
【００７１】
本実施例３に係る伸縮式突っ張りポール具１Ｂによれば、既述した場合と同様、操作性が良好で、しかも従来のターンバックル式やネジ式の伸縮調節体を用いたものに比べ耐久性にも優れ、更に、第２ポール４側を第２当接体５を介して天井６２に的確に、かつ、天井面の損傷を防止しつつ取り付けることができる伸縮式突っ張りポール具１Ｂを実現し提供することができる。
【００７２】
加えて、フック９１を付加したことにより、衣類等を掛け置く伸縮式突っ張りポールハンガーとして機能させることができる伸縮式突っ張りポール具１Ｂを実現し提供することができる。
【００７３】
また、本実施例３に係る伸縮式突っ張りポール具１Ｂとしては、実施例２の伸縮式突っ張りポール具１Ａを用い、前記第２ポール４（又は第１ポール２）の所望の位置に、フック９１を嵌装して構成することも当然に可能であり、この場合にも上述した場合と同様の作用、効果を発揮させることができる。
【産業上の利用可能性】
【００７４】
本考案の伸縮式突っ張りポール具１、１Ａは、上述した場合の他、室内の壁面間、室内の壁面と間仕切り壁間等に水平配置で取り付け、衣類用ハンガーに掛けたシャツや洋服、ドレス等を横並びで掛けて配列する水平型の伸縮式突っ張りポールハンガーとして利用するという応用も可能である。
【符号の説明】
【００７５】
１    伸縮式突っ張りポール具
１Ａ  伸縮式突っ張りポール具
１Ｂ  伸縮式突っ張りポール具
２    第１ポール
３    第１当接体
４    第２ポール
５    第２当接体
６    伸縮調節体
１１    上部筒体
１１ａ  内底部
１２    レバー装着部
１２Ａ  レバー装着部
１３    突出片
１４    突部
１４ａ  孔
２１    ポール圧着・解放部
２２    コイルスプリング
２３    内部筒体
２３ａ  受段部
２３ｂ  突条
２４    圧着環状体
２４ａ  突起
３１    操作レバー
３２    押し上げ片
３３    案内溝
３４    薄肉部
３５    操作片
３６    抜穴
４１    下部筒体
４２    レバー受部
４２Ａ  レバー受部
４３    案内口
４４    貫通穴
４５    突片
４６    受部
４７    ネジ孔
４８    傾斜部
５１    固定ピン
５２    把持部
５３    ロックネジ
６１    床面
６２    天井
７１    当接基体
７２    受筒体
７３    受片
７４    付勢バネ
７５    当接補助体
８１    操作レバー
８２    押し上げ片
８３    スライド体
８４    押圧用ボタン
９１    フック
【図１】
0003152857.tif 000003
【図２】
0003152857.tif 000004
【図３】
0003152857.tif 000005
【図４】
0003152857.tif 000006
【図５】
0003152857.tif 000007
【図６】
0003152857.tif 000008
【図７】
0003152857.tif 000009
【図８】
0003152857.tif 000010
【図９】
0003152857.tif 000011
【図１０】
0003152857.tif 000012